(57)【要約】【課題】アークの形成を最小限に抑えるようになされ、アークが形成される場合でもアークを消弧するように迅速に機能する、高電圧アプリケーションで使用するための回路遮断器を提供する。【解決手段】ダブルブレーク接点158,160が備えられており、各接点にアークチャンバ148,150が備えられている、高電圧ＤＣ回路遮断器。ダブルブレーク接点は、過電流が測定されると、接点が同時に開かれて（すなわち、ダブルブレーク）、接点セットのそれぞれの間に発生する電圧を降下させるように、互いに直列に、および過電流測定装置112と直列に接続される。接点セットを同時にリセットし、閉じるためにハンドル106が提供される。【選択図】図１
2019096602.tif 000002
【特許請求の範囲】
【請求項１】
高電圧ＤＣ回路遮断器であって、
第１の接点セットを作る第１固定接点および第１可動接点であって、前記第１可動接点は第１可動接点アームに配置されているとともに、前記第１固定接点との接触状態および非接触状態を移動するようになされている、第１固定接点および第１可動接点と、
第２の接点セットを作る第２固定接点および第２可動接点であって、前記第２可動接点は第２可動接点アームに配置されているとともに、前記第２固定接点との接触状態および非接触状態を移動するようになされている、第２固定接点および第２可動接点と、
前記第１可動接点アームに連結されている第１リンク機構、および前記第２可動接点アームに連結されている第２リンク機構と、
前記第１および第２の接点セットならびに前記第１および第２のリンク機構が配置されているハウジングと、
前記第１および第２の接点セットの間でそれぞれに連結されている過電流測定装置と、を備え、
過電流状態中に前記第１および第２の接点セットの両方が同時に開くように、前記過電流測定装置が、過電流状態において前記第１および第２のリンク機構を作動させるように構成されている、高電圧ＤＣ回路遮断器。
【請求項２】
前記ハウジングの上側に配置されているハンドルをさらに備え、
前記ハンドルは、前記ハンドルがオン位置にあるときに、前記第１および第２の接点セットを同時に閉じるようになされており、
前記ハンドルは、前記ハンドルがオフ位置にあるときに、前記第１および第２の接点セットを同時に開くようになされており、
過電流状態において、前記ハンドルはトリップ位置に移行する、請求項１に記載の回路遮断器。
【請求項３】
前記第１固定接点に連結されている第１端子と、
前記第２固定接点に連結されている第２端子と、をさらに備える、請求項１に記載の回路遮断器。
【請求項４】
第１のアーク消弧器と、
第２のアーク消弧器とをさらに備え、
前記第１のアーク消弧器は前記第１の接点セットの近くに配置されており、前記第２のアーク消弧器は前記第２の接点セットの近くに配置されている、請求項３に記載の回路遮断器。
【請求項５】
前記第１端子がＤＣ電力源に接続されているとき、前記第１端子は負荷に接続するようになされており、
前記第２端子がＤＣ電力源に接続されているとき、前記第１端子は負荷に接続するようになされている、請求項４に記載の回路遮断器。
【請求項６】
前記第１端子がＤＣ電力源に接続されているとき、前記第２の接点セット間にアークが発生すると、前記アークは前記第２のアーク消弧器に引き込まれ、
前記第２端子がＤＣ電力源に接続されているとき、前記第１の接点セット間にアークが発生すると、前記アークが前記第１のアーク消弧器に引き込まれる、請求項５に記載の回路遮断器。
【請求項７】
前記第１および第２のアーク消弧器は、鉛直に積層されている複数のアークプレートをそれぞれ備える、請求項４に記載の回路遮断器。
【請求項８】
前記第１および第２のアーク消弧器の前記アークプレートは、少なくとも部分的に、それぞれ前記第１および第２の可動接点アームの移動経路に対して放射経路に沿って配置されている、請求項７に記載の回路遮断器。
【請求項９】
第１固定接点アームをさらに備え、前記第１固定接点は前記第１固定接点アームに配置されている、請求項８に記載の回路遮断器。
【請求項１０】
前記第１固定接点アームは、前記第１のアーク消弧器の下に延びているとともに前記第１のアーク消弧器の最下部アークプレートを形成している下側アークランナを形成している、請求項９に記載の回路遮断器。
【請求項１１】
第２固定接点アームをさらに備え、前記第２固定接点は前記第２固定接点アームに配置されている、請求項１０に記載の回路遮断器。
【請求項１２】
前記第２固定接点アームは、前記第２のアーク消弧器の下に延びているとともに前記第２のアーク消弧器の最下部アークプレートを形成している下側アークランナを形成している、請求項１１に記載の回路遮断器。
【請求項１３】
前記第１固定接点アームはＵ字形のアームとして形成されており、その上に配置されている前記第１端子を含む、請求項１２に記載の回路遮断器。
【請求項１４】
前記第２固定接点アームはＵ字形のアームとして形成されており、その上に配置されている前記第２端子を含む、請求項１３に記載の回路遮断器。
【請求項１５】
前記第１可動接点アームは第１可撓性導体を介して前記過電流測定装置の入力に連結されており、前記過電流測定装置の出力は第２可撓性導体を介して前記第２可動接点アームに連結されている、請求項１に記載の回路遮断器。
【請求項１６】
前記第２可動接点アームは前記第２可撓性導体の第１部分を介して中間プレートに連結されており、前記中間プレートは前記第２可撓性導体の第２部分を介して前記過電流測定装置の前記出力に連結されている、請求項１５に記載の回路遮断器。
【請求項１７】
前記ハウジング内に配置されているとともに前記第１の接点セットと前記第２の接点セットとの間に絶縁隔壁を提供する絶縁隔壁をさらに備える、請求項１に記載の回路遮断器。
【請求項１８】
前記絶縁隔壁は前記ハウジングの一体的な部分として形成されている、請求項１７に記載の回路遮断器。
【発明の詳細な説明】
【技術分野】
【０００１】
本発明は、高電圧アプリケーションに使用される回路遮断器に関し、より具体的には、本発明は、各接点にアークチャンバが備えられているダブルブレーク接点を備える回路遮断器に関するものである。
【背景技術】
【０００２】
回路遮断器は、電気回路を開き、電流を遮断するために使用される電気コンポーネントである。回路遮断器の基本的な例はスイッチであり、これは一般に、２つの状態のうちの１つになる２つの電気接点からなる。すなわち、接点が互いに電気的に接触していて、それらの接点の間に電気を流すことを意味する閉状態、または、接点が互いに電気接触せずに、電気の流れを妨げることを意味する開状態のいずれかである。スイッチは、コンピュータのキーボードボタンなどのシステムに制御信号を提供するために、または光スイッチなどの回路の電力流を制御するために、直接操作してもよい。
【０００３】
回路遮断器の別の例は、回路ブレーカである。回路ブレーカは、たとえば、過負荷、地絡事故または短絡によって生じる損傷から電気回路を保護するように設計される。電線に電力サージなどの故障状態が発生すると、ブレーカがトリップする。これにより、「オン」位置にあったブレーカが「オフ」位置に切り替わり、そのブレーカを通る電力の流れが遮断される。回路ブレーカは、一般に、電線を通して送られる電流の量を電線が損傷しないレベルに制限することによって、電線を保護するために設けられる。回路ブレーカは、過剰な電流を引き込む可能性のあるデバイスの破壊も防ぐことができる。
【０００４】
標準的な回路ブレーカは、電力源に接続されている第１端子と、ブレーカによる保護が意図される電線に電気的に接続されている第２端子とを有する。従来、これらの端子はそれぞれ、「ライン」および「負荷」と呼ばれている。ラインは、ときに回路ブレーカの入力と呼ばれる。負荷は、ときに回路ブレーカの出力と呼ばれ、電力を受電する電気回路とコンポーネントとに接続する。
【０００５】
回路ブレーカは、ヒューズの代わりとして使用することができる。しかし、１度過電流の状況で作動して開くと交換しなければならないヒューズと異なり、回路ブレーカは、（手動または自動のいずれかで）「リセット」して動作を再開させることができる。ヒューズは、回路ブレーカと同様の役割を果たすが、回路ブレーカの方が使いやすく、通例、サービスおよび動作がより安全である。
【０００６】
ヒューズが飛ぶときの状況と異なり、回路ブレーカがトリップするときは、電気パネルを見てどのブレーカのハンドルが「トリップ」位置にあるかに注意することによって、遮断した回路に給電しているのがどの回路ブレーカかを判断するのは比較的簡単である。そして、このブレーカを単に「オフ」位置に移動して（これにより回路ブレーカがリセットされる）から、「オン」位置に移動するだけで、電力が再開する。
【０００７】
一般に、単極回路遮断器は、ハウジングの内部に配置されている少なくとも２つの接点を有する。第１接点は固定であり、ラインまたは負荷のいずれかに接続されていてもよい。第２接点は第１接点に対して可動であるので、回路ブレーカが「オフ」またはトリップ位置にあるとき、第１接点と第２接点との間に隙間が存在するようになる。
【０００８】
高電圧アプリケーションにおいて、接点の開閉は、接点間にアークを生じさせかねない。高電圧アプリケーションは、通例、高電力伝送に関連するため、これらのアプリケーションで使用される切り替え装置は、負荷下においても、効果的かつ安全に切り替えができなければならない。
【０００９】
前述の回路遮断器の問題は、通電されている接点が負荷下にある間に開くときに生じる。接点が分離すると、接点間の隙間に電気アークが形成されることがある。電気アークとは、２点間の空気中の気体をイオン化する電流によって生じる、２点間のプラズマ放電である。
【００１０】
接点の移行中のアーク発生は、回路遮断器の動作に悪影響を与え、さらには安全を脅かす状況を生みかねない、望ましくない影響を生じさせる。また、これらの悪影響は、回路遮断器の機能性に対して悪影響を与えかねない。
【００１１】
考えられる影響の１つは、アークが回路遮断器の内部の物体および／または周りの物体を短絡させることがあり、損傷を引き起こし、出火または安全を脅かす状況の可能性を呈することである。
【００１２】
アーク発生の別の影響は、アークエネルギーが接点自体を損傷させて、何らかの物質を微小粒子状物質として空中に放出させることである。接点から溶け出したデブリは、回路遮断器の機構の中に移動するかまたは投げ込まれかねず、機構を破壊するかまたはその作動寿命を短縮させる。
【００１３】
アーク発生のさらに別の影響は、アークの極めて高い温度（摂氏数万度）によるもので、これは、オゾン、一酸化炭素および他の危険な化合物を発生させる、周囲の気体分子に衝突しかねない。アークは、周囲の気体をイオン化することもあり、代替伝導路を作る可能性がある。
【発明の概要】
【発明が解決しようとする課題】
【００１４】
ゼロ電圧交差がないため、高電圧アプリケーションで直面する課題は、直流（ＤＣ）アプリケーションではさらに複雑である。交流（ＡＣ）アプリケーションでは、接点の開放は、アーキングの可能性を最小限に抑えるためにゼロ電圧交差に対応するようにタイミングを合わせることができる。しかし、ＤＣアプリケーションでは、ゼロ電圧交差がない。そのため、切り替えはきわめて頻繁に負荷下のピーク電圧で起こるはずである。
【００１５】
そのため、前述の制限を克服する、ＤＣアプリケーションで使用可能な回路遮断器を提供することが望まれている。
【００１６】
したがって、本発明の目的は、回路遮断器の接点間のアークを抑止するように機能する、アーク消弧器を有する、高電圧アプリケーションで使用するための回路遮断器を提供することである。
【００１７】
本発明の別の目的は、接点が開くときまたは閉じるときのアークの形成を最小限に抑えるように設計された、高電圧アプリケーションで使用するための回路遮断器を提供することである。
【００１８】
本発明の別の目的は、アークの形成を最小限に抑えるようになされ、アークが形成される場合でもアークを消弧するように迅速に機能する、高電圧アプリケーションで使用するための回路遮断器を提供することである。
【課題を解決するための手段】
【００１９】
以上の目的および他の目的は、第１可動接点および第２固定接点（第１の接点セット）を含む回路遮断器を提供することによって達成される。第１固定接点は、細長く略平らな第１固定接点アームに配置されており、第１端子に接続されている。第１可動接点がその上に取り付けられている第１可動接点アームも設けられている。第１可動接点アームは、第１可動接点が第１固定接点との接触状態および非接触状態に移動するように移動するようになされている。
【００２０】
一構成において、第１可動接点は、過電流測定装置の入力に連結されている第１可撓性導体に連結されている。さらに、過電流測定装置の出力は、第２可動接点に連結されている第２可撓性導体に連結されている。第２可動接点は第２可動接点アームに配置されている。第２固定接点アームに取り付けられている第２固定接点も設けられている。第２可動接点および第２固定接点（第２の接点セット）は、互いに物理的な接触状態および非接触状態に移動するようになされている。第２固定接点はさらに第２端子に接続されている。
【００２１】
一構成において、第１可動接点と第１固定接点との付近に配置されている第１のアーク消弧器も設けられている。第１のアーク消弧器は、第１可動接点と第１固定接点との間にアークが生じるとアークが第１のアーク消弧器に引き込まれるように設けられる。同様に、第２のアーク消弧器が、第２可動接点と第２固定接点との付近に設けられており、第２可動接点と第２固定接点との間にアークが生じるとアークが第２のアーク消弧器に引き込まれるようになっている。
【００２２】
回路遮断器は、回路遮断器の作動部品が内部に維持されているハウジングをさらに備えてもよい。一構成において、第１可動接点アームは、ハウジングの上側に突き出しているハンドルに連結されている第１リンク機構に接続されている。第１リンク機構は、ハンドルがオフ位置に移動すると、これが第１リンク機構を移動させて、第１および第２の接点を開くように機能するように設けられている。あるいは、過電流測定装置が過電流状態を検出すると、過電流測定装置は、第１リンク機構を移動させて、第１および第２の接点を開くように機能することができる。
【００２３】
回路遮断器は、ハンドルと第２可動接点アームとに連結されている第２リンク機構をさらに備える。第２リンク機構は、ハンドルがオフ位置に移動すると、これが第２リンク機構を移動させて、第２の接点セットを開くように機能するように設けられている。
【００２４】
別の構成において、回路遮断器には、第１の接点セットと第２の接点セットとが同時に開閉するように前記第１および第２のリンク機構の両方を作動させるために使用される、単一のハンドルが備えられている。
【００２５】
上記説明から分かるように、回路遮断器には、第１の接点セットが、同時に作動させられる第２の接点セットと直列して備えられている。これは、個々の接点セットのそれぞれの間に発生する電圧が、印加される電圧の合計電圧の２分の１に等しくなるので、高電圧アプリケーションには有利である。互いに直列の２つの接点セット間で電圧を分割することにより、接点セットのそれぞれの間に発生するアーク放電を低下させるように機能する。
【００２６】
本出願のために、以下の用語および定義を適用することとする。
【００２７】
「第１」および「第２」という用語は、ある要素、セット、データ、物またはことを別のものと区別するために使用され、相対的な位置または時間的な配列を示すために使用されるのではない。
【００２８】
本明細書で使用される場合、「連結されている」、「に連結されている」、「と連結されている」、「接続されている」、「に接続されている」、「と接続されている」、という用語はそれぞれ、２つ以上のデバイス、装置、ファイル、プログラム、アプリケーション、メディア、コンポーネント、ネットワーク、システム、サブシステムおよび／または手段の間の関係を意味し、該関係は、（ａ）直接的か、もしくは１つもしくは複数の他のデバイス、装置、ファイル、プログラム、アプリケーション、メディア、コンポーネント、ネットワーク、システム、サブシステムもしくは手段を通してかを問わない接続、（ｂ）直接的か、もしくは任意の１つもしくは複数のデバイス、装置、ファイル、プログラム、アプリケーション、メディア、コンポーネント、ネットワーク、システム、サブシステムもしくは手段を通してかを問わない通信関係、および／または（ｃ）任意の１つもしくは複数のデバイス、装置、ファイル、プログラム、アプリケーション、メディア、コンポーネント、ネットワーク、システム、サブシステムもしくは手段の動作が、全体的もしくは部分的に、そのうちの任意の１つもしくは複数の他のものの動作に依存する機能的な関係、のうちの任意の１つまたは複数から構成される。
【００２９】
「高」電圧という用語は、配電に使用されるものよりも電圧が高いアプリケーションに適用される。通例、下限は米国電気安全規程（ＮＦＰＡ  ７０）に従い８，７００Ｖとされる。
【００３０】
システムの一構成において、第１の接点セットを作る第１固定接点および第１可動接点と、前記第１可動接点がその上に配置されている第１可動接点アームと、前記第１可動接点は前記第１固定接点との接触状態および非接触状態に移動するようになされており、前記第１可動接点アームに連結されている第１リンク機構とを備える、高電圧ＤＣ回路遮断器が提供される。回路遮断器は、第２の接点セットを作る第２固定接点および第２可動接点と、前記第２可動接点がその上に配置されている第２可動接点アームと、前記第２可動接点は前記第２固定接点との接触状態および非接触状態に移動するようになされており、前記第２可動接点アームに連結されている第２リンク機構とをさらに備える。回路遮断器は、また、前記第１および第２の接点セットと直列に連結されている過電流測定装置と、前記過電流測定装置に連結されているとともにハウジングの上側に配置されているハンドルとを備える。回路遮断器は、過電流状態中に前記第１および第２の接点セットの両方が同時に開くように、前記過電流測定装置が過電流状態において前記第１および第２のリンク機構を作動させるようになされるように提供される。
【００３１】
システムの別の構成において、第１の接点セットを作る第１固定接点と第１可動接点とを備える高電圧ＤＣ回路遮断器が提供され、前記第１可動接点は、第１可動接点アームに配置されているとともに、前記第１固定接点との接触状態および非接触状態に移動するようになされている。回路遮断器は、第２の接点セットを作る第２固定接点と第２可動接点とをさらに備え、前記第２可動接点は、第２可動接点アームに配置されているとともに、前記第２固定接点との接触状態および非接触状態に移動するようになされている。回路遮断器は、また、前記第１可動接点アームに連結されている第１リンク機構と、前記第２可動接点アームに連結されている第２リンク機構と、前記第１および第２の接点セットならびに前記第１および第２のリンク機構が配置されているハウジングと、前記第１および第２の接点セットの間でそれぞれに連結されている過電流測定装置と、も備える。回路遮断器は、過電流状態中に前記第１および第２の接点セットの両方が同時に開くように、前記過電流測定装置が過電流状態において前記第１および第２のリンク機構を作動させるようになされるように提供される。
【００３２】
本発明の他の目的およびその具体的な特徴および利点は、以下の図面および添付の詳細な説明の考察からより明らかになるであろう。
【図面の簡単な説明】
【００３３】
【図１】回路遮断器の内部構造を示す図である。
【図２】図１の第１固定接点アームおよび第１固定接点を示す斜視図である。
【図３】トリップ位置のハンドルと、開いている第１および第２の接点セットとを示す、図１の回路遮断器の機能を示すブロック図である。
【図４】オフ位置のハンドルと、開いている第１および第２の接点セットとを示す、図３の回路遮断器の機能を示すブロック図である。
【図５】オン位置のハンドルと、閉じている第１および第２の接点セットとを示す、図３の回路遮断器の機能を示すブロック図である。
【発明を実施するための形態】
【００３４】
ここで図面を参照するが、図面を通して、同様な参照記号は、対応する構造を表す。
【００３５】
図１は、回路遮断器１００の図であり、回路遮断器１００は一構成において、回路ブレーカを備えている。回路遮断器１００はハウジングによって提供され、該ハウジングは、熱硬化性ポリエステル樹脂材料などの、当業界で一般に使用される絶縁材で形成されている。
【００３６】
ハウジング１０２の上面１０４は、ハンドル１０６が配置される開口を含む。ハンドル１０６は、オン位置、オフ位置およびトリップ位置、の３つの位置のうちの１つに移動可能である。ハンドル１０６の下部には、第１リンク機構１０８と第２リンク機構１１０とが連結されている。第１リンク機構１０８は、過電流測定装置１１２と第１可動接点アーム１１４とに連結されている。同様に、第２リンク機構１１０は、過電流測定装置１１２と第２可動接点アーム１１６とに連結されている。
【００３７】
第１可動接点１１８は、第１可動接点アーム１１４の下側に取り付けられており、第２可動接点１２０は、第２可動接点アーム１１６の下側に取り付けられている。
【００３８】
第１可動接点アーム１１４は、第１可撓性導体１２４を介して過電流測定装置１１２の入力１２２に連結されている。第２可動接点アーム１１６は、第２可撓性導体の第２部分１２８によって中間プレート１２６に接続されており、中間プレート１２６は、第２可撓性導体の第１部分１３２によって過電流測定装置１１２の出力１３０に接続されている。
【００３９】
第１可動接点１１８は、一般に、第１ピボット１３４まわりの回転によって画定される放射状経路で移動して、第１固定接点１３６に接触するようになされている。第１固定接点１３６は、平らな導体として形成されており、よりよく図２で図示されているように、第１固定接点アーム１３８上に配置されている。第１固定接点アーム１３８は、図１から分かるように、Ｕ字形形状を有して提供されており、下部が第１端子１４０を提供する。第１端子は、ネジ止め式の接続であるように図示されているが、たとえば、スタブコネクタ、タインなどを含め、当業界で公知のとおり、実質的にどのタイプのコネクタも効果的に使用できることが想定される。第１可動接点１１８と第１固定接点１３６とが第１の接点セット１５８を作る。
【００４０】
第２可動接点１２０は、第１可動接点１１８と同様に機能するようになされている。第２固定接点１４２は、第１固定接点アーム１３８と同様に平らな導体として形成されている第２固定接点アーム１４４上に配置されている。第２固定接点アーム１４４は、図１から分かるように、Ｕ字形構成を有して提供されており、下部が第２端子１４６を提供する。第２端子１４６は、第１端子１４０に関連して述べたように、どのような構成を備えてもよい。第２可動接点１２０と第２固定接点１４２とが第２の接点セット１６０を作る。
【００４１】
図１には、第１のアーク消弧器１４８および第２のアーク消弧器１５０も示されている。第１および第２のアーク消弧器１４８，１５０は、互いに離間して略鉛直方向に積層されている複数のアークプレート１５２，１５４をそれぞれ備える。第１のアーク消弧器１４８は第１の接点セットの近くに配置されているのに対し、第２のアーク消弧器１５０は第２の接点セットの近くに配置されている。アーク消弧器１４８，１５０のそれぞれは、アークプレート１５２，１５４の内側部分がそれぞれ可動接点アーム１１４，１１６の放射状経路に少なくとも部分的に沿うように配置されている。このように、第１または第２の接点セットのいずれかの間でアークが生じる場合、アークは、接点セットから引き離されて、各アーク消弧器１４８，１５０に引き込まれる。
【００４２】
図１には隔壁１５６も図示されており、これは、ハウジング１０２の一部として一体的に形成されていてもよい。隔壁１５６は、絶縁材料を備えて、第１の接点セットと第２の接点セットとの間の絶縁隔壁を提供してもよく、これは高電圧環境には有利である。
【００４３】
ここで図３〜図５に移ると、回路遮断器１００の機能的なブロック図が示されている。図３は、過電流状態において、過電流測定装置１１２が第１および第２の接点セット１５８，１６０を同時に開き、それによって第１および第２の端子１４０，１４６間の電気の流れを遮断するように機能する。見て分かるように、回路遮断器１００が過電流状態に遭遇すると、ハンドル１０６はトリップ位置に切り替えられる。
【００４４】
ハンドル１０６のトリップ位置を解除するためには、ハンドル１０６をオフ位置に移動させなければならないことが図４に図示されている。これは、過電流測定装置および関連のリンク機構を「リセット」するように機能する。第１および第２の接点セット１５８，１６０は開状態のままであることに留意する。
【００４５】
ハンドル１０６は、次いで、図５に図示されるようにオン位置に移動してもよく、これは、回路遮断器１００がその後、第１端子１０４と第２端子１４６との間に電気を通すように、第１および第２の接点セット１５８，１６０を閉じるように機能する。
【００４６】
図１および図３〜図５を参照して分かるように、第１の接点セット１５８は、第１および第２の接点１４０，１４６間で第２の接点セット１６０と直列で提供される。高電圧アプリケーションでは、このことは、接点セットを同時に開くと、回路中の抵抗が増すので、開く間に電圧の半分が接点セットのそれぞれの間で発生することを意味するため有利である。すなわち、接点セットそれぞれの間の隙間間に発生するアーク放電は、電圧降下が小さくなるため減少する。
【００４７】
さらに、回路遮断器１００が、ＤＣ高電圧アプリケーションに使用できるように説明されていることに留意するべきである。ＤＣ電圧は、ＡＣ電圧とは対照的に極性依存であるが、第１端子１４０または第２端子１４６のいずれかに接続されている正極のＤＣ導体とともに回路遮断器１００が使用できることは、当業者には理解されるであろう。言い換えると、回路遮断器１００は、極性に影響されるアプリケーションに使用することができる。これは、少なくとも１つのアーク消弧器が、常に正しい向きにされ、かつ、生じるアークを迅速に消弧するように機能するためである。第１および第２の接点対１５８，１６０は、互いに直列に接続されているため、一方の接点セットでの電気の流れの遮断が他方の接点セットにおける電気の流れを遮断するように機能し、両方の位置でアークを効果的に止める。
【００４８】
部品、特徴などの特定の配列を参照して本発明を説明してきたが、これらはあらゆる可能な配列または特徴を網羅することを意図しておらず、実際、当業者には複数の他の修正および変型が確認できるであろう。
【図１】
2019096602.tif 000003
【図２】
2019096602.tif 000004
【図３】
2019096602.tif 000005
【図４】
2019096602.tif 000006
【図５】
2019096602.tif 000007
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
高電圧ＤＣ回路遮断器であって、
第１の接点セットを作る第１固定接点および第１可動接点であって、前記第１可動接点は第１可動接点アームに配置されているとともに、前記第１固定接点との接触状態および非接触状態を移動するようになされている、第１固定接点および第１可動接点と、
第２の接点セットを作る第２固定接点および第２可動接点であって、前記第２可動接点は第２可動接点アームに配置されているとともに、前記第２固定接点との接触状態および非接触状態を移動するようになされている、第２固定接点および第２可動接点と、
前記第１可動接点アームに連結されている第１リンク機構、および前記第２可動接点アームに連結されている第２リンク機構と、
前記第１および第２の接点セットならびに前記第１および第２のリンク機構が配置されているハウジングと、
前記第１および第２の接点セットの間でそれぞれに連結されている一つの過電流測定装置と、を備え、
過電流状態中に前記第１および第２の接点セットの両方が同時に開くように、前記一つの過電流測定装置が、過電流状態において前記第１および第２のリンク機構を両方作動させる、高電圧ＤＣ回路遮断器。
【請求項２】
前記ハウジングの上側に配置されているハンドルをさらに備え、
前記ハンドルは、前記ハンドルがオン位置にあるときに、前記第１および第２の接点セットを同時に閉じるようになされており、
前記ハンドルは、前記ハンドルがオフ位置にあるときに、前記第１および第２の接点セットを同時に開くようになされており、
過電流状態において、前記ハンドルはトリップ位置に移行する、請求項１に記載の回路遮断器。
【請求項３】
前記第１固定接点に連結されている第１端子と、
前記第２固定接点に連結されている第２端子と、をさらに備える、請求項１に記載の回路遮断器。
【請求項４】
第１のアーク消弧器と、
第２のアーク消弧器とをさらに備え、
前記第１のアーク消弧器は前記第１の接点セットの近くに配置されており、前記第２のアーク消弧器は前記第２の接点セットの近くに配置されている、請求項３に記載の回路遮断器。
【請求項５】
前記第１端子がＤＣ電力源に接続されているとき、前記第１端子は負荷に接続するようになされており、
前記第２端子がＤＣ電力源に接続されているとき、前記第１端子は負荷に接続するようになされている、請求項４に記載の回路遮断器。
【請求項６】
前記第１端子が前記ＤＣ電力源に接続されているとき、前記第２の接点セット間にアークが発生すると、前記アークは前記第２のアーク消弧器に引き込まれ、
前記第２端子が前記ＤＣ電力源に接続されているとき、前記第１の接点セット間にアークが発生すると、前記アークが前記第１のアーク消弧器に引き込まれる、請求項５に記載の回路遮断器。
【請求項７】
前記第１および第２のアーク消弧器は、鉛直に積層されている複数のアークプレートをそれぞれ備える、請求項４に記載の回路遮断器。
【請求項８】
前記第１および第２のアーク消弧器の前記アークプレートは、少なくとも部分的に、それぞれ前記第１および第２の可動接点アームの移動経路に対して放射経路に沿って配置されている、請求項７に記載の回路遮断器。
【請求項９】
第１固定接点アームをさらに備え、前記第１固定接点は前記第１固定接点アームに配置されている、請求項８に記載の回路遮断器。
【請求項１０】
前記第１固定接点アームは、前記第１のアーク消弧器の下に延びているとともに前記第１のアーク消弧器の最下部アークプレートを形成している下側アークランナを形成している、請求項９に記載の回路遮断器。
【請求項１１】
第２固定接点アームをさらに備え、前記第２固定接点は前記第２固定接点アームに配置されている、請求項１０に記載の回路遮断器。
【請求項１２】
前記第２固定接点アームは、前記第２のアーク消弧器の下に延びているとともに前記第２のアーク消弧器の最下部アークプレートを形成している下側アークランナを形成している、請求項１１に記載の回路遮断器。
【請求項１３】
前記第１固定接点アームはＵ字形のアームとして形成されており、その上に配置されている前記第１端子を含む、請求項１２に記載の回路遮断器。
【請求項１４】
前記第２固定接点アームはＵ字形のアームとして形成されており、その上に配置されている前記第２端子を含む、請求項１３に記載の回路遮断器。
【請求項１５】
前記第１可動接点アームは第１可撓性導体を介して前記過電流測定装置の入力に連結されており、前記過電流測定装置の出力は第２可撓性導体を介して前記第２可動接点アームに連結されている、請求項１に記載の回路遮断器。
【請求項１６】
前記第２可動接点アームは前記第２可撓性導体の第１部分を介して中間プレートに連結されており、前記中間プレートは前記第２可撓性導体の第２部分を介して前記過電流測定装置の前記出力に連結されている、請求項１５に記載の回路遮断器。
【請求項１７】
前記ハウジング内に配置されているとともに前記第１の接点セットと前記第２の接点セットとの間に絶縁隔壁を提供する絶縁隔壁をさらに備える、請求項１に記載の回路遮断器。
【請求項１８】
前記絶縁隔壁は前記ハウジングの一体的な部分として形成されている、請求項１７に記載の回路遮断器。
【外国語明細書】
2019096602.tif 000008
2019096602.tif 000009
2019096602.tif 000010
2019096602.tif 000011
2019096602.tif 000012
2019096602.tif 000013
2019096602.tif 000014
2019096602.tif 000015
2019096602.tif 000016
2019096602.tif 000017
2019096602.tif 000018
2019096602.tif 000019
2019096602.tif 000020
2019096602.tif 000021
2019096602.tif 000022
2019096602.tif 000023
2019096602.tif 000024
【図１】
2019096602.tif 000025
【図２】
2019096602.tif 000026
【図３】
2019096602.tif 000027
【図４】
2019096602.tif 000028
【図５】
2019096602.tif 000029